(57)【特許請求の範囲】
【請求項１】
床面上に立設されるボルト部材を有する基台部分と、前記ボルト部材に高さ調節可能に螺合され、かつ、フロアパネル支持部を備えた、パネルサポートと、フロアパネルに係合し、かつ、前記ボルト部材に関して着脱自在に取付けられて、前記フロアパネルを前記フロアパネル支持部方向へ押圧し、かつ、固定する、パネルフィックスとを有する、フロアパネルの支持脚において、前記パネルサポートの上面に圧着して前記パネルサポートを前記ボルト部材の所定位置に固定するフィックスナットが、前記ボルト部材に螺合され、前記フィックスナットに所定長さを有する第一のねじ部が形成され、前記パネルフィックスに前記第一のねじ部に螺合する第二のねじ部が形成され、前記第一及び第二のねじ部を互いに螺合させることにより前記フロアパネルを前記フロアパネル支持部と前記パネルフィックスとの間で固定するとき、前記パネルサポートの固定位置とは無関係に、前記パネルフィックスが前記フィックスナットに一定の捩じ込み量で締結され、前記パネルフィックスの下端部に突起が設けられ、前記第一及び第二のねじ部の螺合量が前記一定の捩じ込み量になると、前記突起が前記パネルサポートの底部に設けられた凹部に係合し、前記フロアパネルの締結がなされると共に、前記パネルフィックスの回り止めがなされ、前記パネルフィックスは、前記突起近傍で貫通する側面開口が形成され、前記突起は、前記側面開口の下縁を画成する弾性の架橋部に設けられるように構成したことを特徴とする、フロアパネルの支持脚。
【請求項２】
請求項１に記載のフロアパネルの支持脚において、前記フィックスナットの前記第一のねじ部の下端部に前記第一のねじ部よりも外方へ突出した肩部が形成され、前記パネルフィックスの前記第二のねじ部に隣接する位置に前記肩部に係合可能な当接面が形成され、前記第一及び第二のねじ部の螺合量が前記一定の捩じ込み量になると、前記当接面が前記肩部に当接して前記フロアパネルの締結がなされるように構成してなる、前記フロアパネルの支持脚。
【請求項３】
請求項１に記載のフロアパネルの支持脚において、前記第一及び第二のねじ部のねじ切り長さを規定することにより、前記パネルフィックスが前記フィックスナットに一定の捩じ込み量になると、前記フロアパネルの締結がなされるように構成したことを特徴とする、フロアパネルの支持脚。
【請求項４】
請求項１に記載のフロアパネルにおいて、前記パネルフィックスの上端部に比較的鋭利な複数の突起を設け、前記フロアパネル上に敷設するカーペット仕上げ材の裏面に食い込むように構成してなる、前記フロアパネルの支持脚。
【発明の詳細な説明】
【０００１】
【発明の属する技術分野】
本発明は、床面上の所望高さに複数のフロアパネルを支持すると共に固定し、これらのフロアパネルによって二重床を構成するためのフロアパネルの支持脚に関するものである。
【０００２】
【従来の技術】
方形のフロアパネルを床面上の所望高さに敷設するに際し、複数のフロアパネルの隣接する隅部を所望高さに支持し、かつ、固定するためのフロアパネルの支持脚は、特開平１０―６８２１４号、特開平９―１９５４８９号、特開平９―１９５４８８号等において、種々提案されている。例えば、特開平１０―６８２１４号公報に開示された支持脚は、フロアパネルの受け台２０に高さ調整用のナット２９を固定し、このナット２９を床板支持具１２の雄ねじ２６に螺合させて受け台２０を所望の高さに配置した後、受け台２０上に中心部材２１を載置し、雄ねじ２６にキャップ２２を螺合してなる。この支持脚によってフロアパネルを支持し固定するには、キャップ２２を雄ねじ２６に捩じ込み、キャップ２２と中心部材２１との間にフロアパネルの隅部を挟み、更に、中心部材２１の上面にフロアパネルの隅部を押し付ける。
【０００３】
【発明が解決しようとする課題】
従来のフロアパネルの支持脚は、例えば特開平１０―６８２１４号に開示された支持脚のように、受け台２０上にフロアパネルの隅部を係合させた状態で受け台２０の回り止めがなされるから、この状態でキャップ２２を締め付けてフロアパネルを固定するときに受け台２０の高さが変わることはない。しかし、床下の保守点検等のためにキャップ２２を緩めてフロアパネルを取り外すと、受け台２０が回転可能になるから、再度、フロアパネルを設置するときに受け台２０の高さを調節する必要がある。かかる不具合を解消するために、受け台２０を雄ねじ２６に対して固定するための固定ナットを備えた支持脚も存在するが、支持脚の部品点数が増加し、これに伴ってフロアパネルの施工性も低下する。
【０００４】
また、特開平１０―６８２１４号に開示されたキャップ２２のように、従来のキャップ、すなわち、フロアパネルを固定するためのパネルフィックスは、受け台２０の高さによって、雄ねじ２６に対する捩じ込み量が異なる。かかる場合には、床面に設置した支持脚ごとにパネルフィックスの捩じ込み量が異なるという事態を生じるから、フロアパネルの締め付け力が支持脚ごとに異なる結果になる。フロアパネルの締め付け力が支持脚ごとに異なると、二重床全体の強度が低下するから、耐久性や耐震性の低下等により二重床全体の品質が低下する。
【０００５】
したがって、本発明の目的は、フロアパネルを支持するパネルサポートの回り止めを確実になすことができると共に、フロアパネルを固定するときにフロアパネルの締め付け力を一定にすることができる、フロアパネルの支持脚を提供することにある。
【０００６】
【課題を解決するための手段】
本発明のフロアパネルの支持脚は、床面上に立設されるボルト部材を有する基台部分と、前記ボルト部材に高さ調節可能に螺合され、かつ、フロアパネル支承部を備えた、パネルサポートと、フロアパネルに係合し、かつ、前記ボルト部材に関して着脱自在に取付けられて、前記フロアパネルを前記フロアパネル支承部方向へ押圧し、かつ、固定する、パネルフィックスとを有する、フロアパネルの支持脚において、前記パネルサポートの上面に圧着して前記パネルサポートを前記ボルト部材の所定位置に固定するフィックスナットを、前記ボルト部材に螺合させ、前記フィックスナットに所定長さを有する第一のねじ部を形成し、前記パネルフィックスに前記第一のねじ部に螺合する第二のねじ部を形成し、前記第一及び第二のねじ部を互いに螺合させることにより前記フロアパネルを前記フロアパネル支承部と前記パネルフィックスとの間で固定するとき、前記パネルサポートの固定位置とは無関係に、前記パネルフィックスが前記フィックスナットに一定の捩じ込み量で螺着するように構成したことを特徴とする。
【０００７】
かかる構成の支持脚によれば、パネルサポートは高さ調節後にフィックスナットによってその高さに固定されるから、フロアパネル敷設時にも、また、保守や点検等のためにフロアパネルを取り外し、取り外したフロアパネルを再度取付ける時にも、パネルサポートの高さを再度調節する必要はない。
【０００８】
更に、本発明の支持脚は、フィックスナットに形成した第一のねじ部と、パネルフィックスに形成した第二のねじ部とを螺合させることにより、フロアパネルを固定するように構成したから、フロアパネルを固定するためのパネルフィックスの捩じ込み量は、パネルサポート上に突出したボルト部材の長さとは無関係に設定することができる。したがって、パネルフィックスがフィックスナットに対して一定の捩じ込み量になったとき、常に、パネルフィックスの締め付け動作が完了するように構成することにより、フロアパネル固定時のフロアパネルの締め付け力を一定にすることができる。
【０００９】
パネルフィックスがフィックスナットに対して一定の捩じ込み量になったとき、常に、パネルフィックスの締め付けが完了するために、次のような構成を採ることができる。
【００１０】
すなわち、パネルフィックスのフィックスナットに対する螺合量が所定量になると、パネルフィックスの下面がパネルサポートの上面に係合してフロアパネルの締結がなされるように構成することができる。このとき、パネルフィックスの下端部に一対の突起を設け、パネルフィックスのフィックスナットに対する螺合量が所定量になると、これらの突起がパネルサポートの底面上部に設けられた凹部に係合し、これによって、フロアパネルの締結がなされると共に、パネルフィックスの回り止めがなされるように構成することができる。
【００１１】
また、フィックスナットに肩部を形成し、この肩部に係合可能な当接面をパネルフィックスに形成し、パネルフィックスのフィックスナットに対する螺合量が所定量になると、パネルフィックスの当接面がフィックスナットの肩部に当接して、フロアパネルの締結がなされるように構成することができる。
【００１２】
更に、フィックスナットとパネルフィックスのねじ部のねじ切り長さを規定することにより、パネルフィックスのフィックスナットに対する螺合量が所定量になると、フロアパネルの締結がなされるように構成することができる。
【００１３】
【実施例】
以下、本発明の実施例を図面を参照して説明する。本発明のフロアパネルの支持脚１は、床面上に接着剤等によって固定される基台部分２と、基台部分２に固定されたボルト部材３とを有する。ボルト部材３の基端部４は基台部分２の中央に形成された孔５に挿入され、カシメ加工部６によって基台部分２に結合されている。ボルト部材３と基台部分２の相対的な回転を防止するため、ボルト部材３の基端部４には軸線方向に延在する突条（図示せず。）が形成され、この突条を基台部分２の孔５に形成された凹所（図示せず。）に係合させるように構成することができる。ボルト部材３と基台部分２との結合はカシメ加工に限定されず、溶接等の手段で結合することができる。
【００１４】
ボルト部材３の周面には雄ねじ７が形成され、雄ねじ７にはパネルサポート８のナット９が螺合する。パネルサポート８は、ナット９をパネル支持部材１０の下面に溶接等によって固着することによって構成される。ナット９の内孔には雌ねじ１１が形成され、この雌ねじ１１はボルト部材３の雄ねじ７と螺合することができる。パネル支持部材１０は防錆処理された鋼板にプレス加工を施して成形され、図７及び図８に示すように、全体として皿状を成す。パネル支持部材１０は、ナット９が接合された底部１２と、パネル支持部材１０の上部に形成されたフロアパネル支持面１３とを有し、底部１２には後述するパネルフィックス２０が当接する上面４５が平坦に形成され、更に、図４及び図８に示すように、四個の凹部４７が形成される。底部１２とフロアパネル支持面１３との間には補強用に四本のリブ１４が形成される。これらのリブ１４はパネル支持部材１０の底部１２とフロアパネル支持面１３の間に形成され、図８に示すように、パネル支持部材１０の対角線方向に延在する。フロアパネル支持面１３には所定間隔を置いて四つの開口１５が形成され、弾性を有するカバー部材１６がその突起１７を開口１５に係合させることにより、フロアパネル支持面１３に係止される。
【００１５】
カバー部材１６は適当な弾性材料によって構成され、パネル支持部材１０のフロアパネル支持面１３を覆うことができる形状を有する。カバー部材１６の下面には四つの突起１７が形成され、これらの突起１７は、カバー部材１６をパネル支持部材１０に取付けたとき、フロアパネル支持面１３の開口１５に挿入されてカバー部材１６をフロアパネル支持面１３に係止する。カバー部材１６の中央部には開口１８が形成され、この開口１８により、フロアパネル１９を着脱自在に固定するためのパネルフィックス２０の取付け及び取り外しを可能にする。パネルフィックス２０については後述する。
【００１６】
フィックスナット２１は、レンチ等の締結工具が係合する全体として六角形の工具係合部２２と、中央貫通孔２３と、中央貫通孔２３に形成された雌ねじ２４と、フィックスナット２１の外周に形成された雄ねじ２５と、雄ねじ２５と工具係合部２２との間に形成された肩部２６とを有する。肩部２６は、フィックスナット２１の雄ねじ２５が形成された面よりも外方に突出している。雌ねじ２４はボルト部材３の周面に形成された雄ねじ７に螺合することができる。
【００１７】
パネルフィックス２０は合成樹脂材料によって形成され、全体として円筒形を成す。パネルフィックス２０は、鍔部２７と、鍔部２７よりも小径の延長部２８と、鍔部２７よりも小径で、かつ、延長部２８よりも大径の、押圧部２９と、押圧部２９の内部に形成され、かつ、パネルフィックス２０の下面に開口した、端部凹所３０と、パネルフィックス２０の軸線に沿って端部凹所３０から鍔部２７まで延在する中央穴３１と、中央穴３１に形成された雌ねじ３２と、鍔部２７の端面３３に形成された一対の工具係合穴３４、３４とを有する。図４乃至図６に示すように、パネルフィックス２０は、更に、押圧部２９の下面に一対の回り止め用突起３５を有し、押圧部２９の側面には、これらの突起３５にそれぞれ対応する位置に、側面開口３６が形成されている。この側面開口３６は、側面開口３６の下縁を画成する架橋部３７に弾性を付与することにより、回り止め用突起３５の機能を増進させるために形成される。また、図２乃至図６に示すように、鍔部２７の側面には一対の工具係用合用凹部３８が形成され、これらの工具係合用凹部３８は、前述の工具係合穴３４の機能と相まって、パネルフィックス２０の締結及び締結解除の用に供することができるように構成することができる。更に、鍔部２７の端面３３には、図６に示すように、比較的鋭利な突起３９を複数形成し、これらの突起３９をフロアパネル１９の上に敷かれたカーペット４０に食い込ませることによって、パネルフィックスの回り止めとして機能すると共に、カーペット４０の滑り止めとしても機能させることができる。
【００１８】
本発明のフロアパネルの支持脚を使用してフロアパネル１９を設置し、固定するには、先ず、床面の所定位置に支持脚１を固定し、支持脚１のボルト部材３に螺合したフィックスナット２１を緩めた後、ボルト部材３に螺合したフロアパネル支持部材８を回転させて、カバー部材１６の上面を所定の高さに位置させる。そして、フィックスナット２１を締結し、フロアパネル支持部材１０を固定する。図４は、フロアパネル支持部材１０の位置決め後、フィックスナット２１を締め付けて、フロアパネル支持部材１０をボルト部材３に固定した状態を示す。
【００１９】
次に、図２及び図３に示すように、フロアパネル支持面１３に取付けられたカバー部材１６上にフロアパネル１９の隅部を載置し、隣り合うフロアパネル１９の位置決めをした後、パネルフィックス２０を取付ける。パネルフィックス２０は、隣り合うフロアパネル１９の隅部によって画成された、全体として円形の開口４１から、フロアパネル支持部材１０の内部に挿入され、パネルフィックス２０の雌ねじ３２をフィックスナット２１の雄ねじ２５に螺合させて回転され、フィックスナット２１に締め付けられる。パネルフィックス２０の締め付けにより、パネルフィックス２０の鍔部２７の下面４２が、フロアパネル１９の隅部に形成されたフランジ部４３に係合し、パネルフィックス２０の下降とともにフランジ部４３を押し下げる。そして、パネルフィックス２０のフィックスナット２０に対する捩じ込み量が所定の捩じ込み量になると、パネルフィックス２０をそれ以上は捩じ込むことができなくなり、これと同時に、フロアパネル１９の固定は完了する。このとき、各フロアパネル１９の隅部のフランジ部４３はフィックスナット２０の鍔部２７の下面４２によって、所定の圧力で下方に押圧された状態にあり、この押圧力によって各フロアパネル１９はカバー部材１６に押し付けられ、固定されている。
【００２０】
保守や点検等のためフロアパネル１９を取り外すには、パネルフィックス２０を逆方向に回転させ、パネルフィックス２０をフィックスナット２１から取り外した後、フロアパネル１９を取り外す。
【００２１】
パネルサポート８をねじ部材３に固定した位置とは無関係に、パネルフィックス２０がフィックスナット２１に対して常にほぼ一定の捩じ込み量で締結されるためには、次のような構成を採ることができる。
【００２２】
すなわち、パネルフィックス２０のフィックスナット２１に対する螺合量が所定量になると、図３に示すように、パネルフィックス２０の下端面４４がパネルサポート８の上面４５に係合し、それ以上、パネルフィックス２０を捩じ込めないように構成することができる。このとき、図５及び図６に示すように、パネルフィックス２０の下端面４４に一対の突起３５を設け、パネルフィックス２０のフィックスナット２１に対する螺合量が所定量になると、これらの突起３５がパネルサポート８の上面４５に設けられた凹部４７に当接し、これによって、フロアパネル１９の締結がなされると共に、パネルフィックス２０の回り止めがなされるように構成することができる。
【００２３】
また、フィックスナット２１の肩部２６に係合可能な当接面４６をパネルフィックス２０の端部凹所３０に形成し、パネルフィックス２０のフィックスナット２１に対する螺合量が所定量になると、この当接面４６がフィックスナット２１の肩部２６に当接して、フロアパネル１９の締結がなされるように構成することができる。
【００２４】
更に、フィックスナット２１の雄ねじ２５のねじ切り長さか、パネルフィックス２０の雌ねじ３２のねじ切り長さを所定長さにすることにより、パネルフィックス２０のフィックスナット２１に対する螺合量が所定量になると、それ以上はパネルフィックス２０を捩じ込むことができないように構成することにより、フロアパネル１９の締結が完了するように構成することができる。
【００２５】
【発明の効果】
本発明のフロアパネルの支持脚は、フィックスナットを使用してパネルサポートを固定するから、フロアパネルを支持するパネルサポートの回り止めを確実になすことができると共に、パネルサポートの固定位置とは無関係に、パネルフィックスがフィックスナットに一定の捩じ込み量で締結されるように構成したから、フロアパネルを固定するときにフロアパネルの締め付け力を一定にすることができる。
【００２６】
また、パネルフィックスのフィックスナットに対する螺合量が所定量になると、パネルフィックスの下面がパネルサポートの上面に係合してフロアパネルの締結がなされるように構成したとき、パネルフィックスの下端部に形成した一対の突起がパネルサポートの凹部に係合するように構成すれば、これらの突起によってパネルフィックスの回り止め機能を得ることができる。
【００２７】
更に、パネルフィックスの鍔部の上端面に比較的鋭利な突起を複数形成すれば、これらの突起をフロアパネルの上に敷かれたカーペットに食い込ませることにより、パネルフィックスの回り止めになると共に、カーペットの滑り止め機能を得ることができる。
【図面の簡単な説明】
【図１】  本発明のフロアパネルの支持脚の分解断面図である。
【図２】  本発明のフロアパネルの支持脚によって支持・固定されたフロアパネルの平面図である。
【図３】  図１の支持脚でフロアパネルを固定した状態の断面図である。
【図４】  本発明のフロアパネルの支持脚においてフィックスナットを締め付けた状態の断面図である。
【図５】  図４に示したパネルフィックスの側面図である。
【図６】  図５に示したパネルフィックスの一部拡大断面図を含む側面図である。
【図７】  本発明の支持脚のパネル支持部材の断面図である。
【図８】  図７のパネル支持部材の上面図である。
【図１】
0004469060.tif 000002
【図２】
0004469060.tif 000003
【図３】
0004469060.tif 000004
【図４】
0004469060.tif 000005
【図５】
0004469060.tif 000006
【図６】
0004469060.tif 000007
【図７】
0004469060.tif 000008
【図８】
0004469060.tif 000009